【事件の表示】
　特願２０１５−１７１６７２号「遊技台」拒絶査定不服審判事件〔平成２８年　１月　７日出願公開、特開２０１６−　　　３３７号〕について、次のとおり審決する。
【結　論】
　本件審判の請求は、成り立たない。
【理　由】
１　手続の経緯
　本願は、平成２５年２月１日に出願した特願２０１３−１８７０６号の一部を平成２６年５月２１日に新たな特許出願（特願２０１４−１０５１８４号）とし、さらにその一部を平成２７年９月１日に新たな特許出願（特願２０１５−１７１６７２号）としたものであって、平成２８年８月１６日付けで拒絶の理由が通知され、平成２８年９月２１日に意見書及び手続補正書が提出されたところ、平成２９年３月１３日付けで拒絶査定がなされ、それに対して、平成２９年４月２７日に拒絶査定不服審判の請求がなされると同時に明細書及び特許請求の範囲に係る手続補正がなされたものである。
　一方、当審において、平成２９年１１月１３日付けで拒絶の理由を通知し、平成２９年１２月１４日に意見書及び手続補正書が提出されたところである。
２　本願発明
　この出願の請求項１〜１９に係る発明は、平成２９年１２月１４日付けの手続補正書により補正された特許請求の範囲の請求項１〜１９に記載されたとおりのものであるところ、その請求項１に係る発明（以下「本願発明」という。）は、次のとおりのものと認める（当審において請求項１をＡ〜Ｏに分説した。）。
「【請求項１】
Ａ　遊技者が操作可能な位置に設けられた操作手段と、
Ｂ　複数の演出を実行可能な演出手段と、
Ｃ　複数の表示を表示可能な表示手段と、
Ｄ　大当り遊技を開始可能な制御手段と、
を備えた遊技台であって、
Ｅ　前記複数の表示のうちの一の表示は、第一の表示であり、
　前記第一の表示は、前記操作手段に関する表示であり、
Ｆ　複数の前記第一の表示が表示される場合（以下、「第一の場合」という。）があり、
Ｇ　前記複数の表示のうちの一の表示は、第二の表示であり、
　前記操作手段の操作に関する受付が有効である期間（以下、「第三の期間」という。）
において前記第二の表示が表示され、
Ｈ　前記複数の演出のうちの一の演出は、第一の演出であり、
Ｉ　前記複数の演出のうちの一の演出は、第二の演出であり、
Ｊ　前記第一の場合において、前記操作手段に対して一回の操作がされたことに関連して前記第一の演出を実行可能であり、
Ｋ　前記第一の場合において、前記操作手段に対して複数回の操作がされたことに関連して前記第二の演出を実行可能であり、
Ｌ　前記第一の演出は、装飾図柄とは異なる表示が表示される演出であり、
Ｍ　前記第一の演出は、前記大当り遊技の実行中に開始可能な演出であり、
Ｎ　前記第二の演出は、前記大当り遊技の実行中に開始可能な演出であり、
Ｏ　前記第一の表示は、複数の態様で表示可能な表示であり、
　前記複数の態様のうちの一の態様は、第一の態様であり、
　前記複数の態様のうちの一の態様は、第二の態様であり、
　前記第一の態様と前記第二の態様は、異なる態様であり、
　前記第一の場合において、前記第一の態様の前記第一の表示と前記第二の態様の該第一の表示が表示されている場合がある、
ことを特徴とする遊技台。」
３　先願 
　当審の拒絶の理由において、本願の特許出願の日前の他の出願であって、その出願後に公開された特願２０１１−２７９２１５号（特開２０１３−１２８６２２号公報）の願書に最初に添付した明細書、特許請求の範囲又は図面（以下「先願明細書等」という。）には、次の事項が図面とともに記載されている（下線は審決で付したものである。）。
　
（１−ａ）「【０００１】
本発明は
弾球遊技機
　・・・
【発明が解決しようとする課題】
【０００４】
　しかしながら、このように操作手段を使用する演出は、弾球遊技機において既に目新しいものではなく、出願人はこの演出において遊技者に目新しさを感じさせるには工夫が必要と考えた。
【０００５】
　本発明は、このような事情に鑑みてなされたものであり、操作手段を使用する演出において遊技者に目新しさを感じさせて当該演出への参加意欲を刺激し、遊技の興趣を向上させることができる弾球遊技機を提供することを目的とする。」
（１−ｂ）「【００１０】
　
上皿６には、
操作手段としての演出ボタン６Ａが装着されている。
遊技者が手指で操作入力する
（１−ｃ）「【００５０】
　
メイン制御装置２３は
大入賞口ソレノイド２１を駆動制御することに基づいて上述の大当り動作を実行
【００５１】
　また、図４のステップＳ７で予告演出表示を行うと判定されて図４のステップＳ１８へ移行した場合には、図５に示すような予告演出決定処理を行う。
【００５２】
　
表示制御装置２６は、
演出ボタン６Ａを表す（演出ボタン６Ａに似せた）操作手段画像としての演出ボタン画像１００を図柄表示装置２５の表示画面２５Ａに表示して、演出ボタン６Ａが操作された場合には所定の結末を表示する予告演出を表示するか否かの判定を行う。なお、本実施の形態では、所定の結末として、後述するように、キャラクタ画像５００が出現する表示を行う
（１−ｄ）「【００５９】
　第２のパターンの第１例では、まず、当該
予告演出が開始されると、
所定の背景画像（ここでは、家の画像が表示されている）２００の手前側に、左列図柄４０１，右列図柄４０２，中列図柄４０３がそれぞれ透明かつ高速で変動表示され、その手前側に、上皿６に配設された演出ボタン６Ａに似せた演出ボタン画像１００が１つ表示される。演出ボタン画像１００が表示される際には、白色・灰色等の色でまず表示され、その後、一旦赤色等の目立つ色に変化し、また、白色・灰色等に戻るような表示態様となっている。
【００６０】
　次に、第２のパターンの第１例では、第３の演出画像の第１例として、図７の（ｂ）〜（ｃ），図８の（ｄ）〜（ｅ）に示すように、
最初に表示された演出ボタン画像１００の左隣にもう１つ演出ボタン画像１００が表示される。このとき、本実施の形態では、白色・灰色等の演出ボタン画像１００が生まれてくる又は生えてくるようなイメージで段々画像が大きくなり
一度最初に表示された演出ボタン画像１００より大きくなってから少し小さくなって、最初に表示された演出ボタン画像１００と同じ大きさになり、その後、並んだ２つの演出ボタン画像１００が、一旦赤色等の目立つ色に変化し、また、白色・灰色等に戻るような表示態様となっている。
【００６１】
　それから、第３の演出画像の第１例として、図８の（ｅ）〜（ｉ）に示すように、当該
左隣の演出ボタン画像１００と同様にして、最初に表示された演出ボタン画像１００の右側、下側、左下側、右下側の順に、演出ボタン画像１００を表示させていく。
【００６２】
　このようにして、第２のパターンの第１例では、まず演出ボタン画像１００を１つ表示する第１及び第２のパターンで共通の表示態様の第１の演出画像を表示した後、複数の演出ボタン画像１００に増加させて表示する第３の演出画像（ここでは、６つの演出ボタン画像１００を表示する第３の演出画像の第１例）を表示するようになっている。
【００６３】
　
６つの演出ボタン画像１００が表示されたら、次に、「押して！押して！」、「プッシュ！プッシュ！」等の遊技者に演出ボタン６Ａを操作するように促す表示を行い（図示省略）、遊技者がそれに応じて演出ボタン６Ａを操作したら、
左上の演出ボタン画像１００が消去され、その代わりに、画面手前側から画面奥側に向かって複数のブロック３００が飛んでいく特定演出画像が表示される
【００６４】
　そして、画面奥側にはガラス板があるようなイメージになっており、飛んでいったブロック３００でガラス板が割れるかどうか、という映像になっている。そのため、図８の（ｋ）に示すように、ブロック３００がある程度まで飛んでいくと、当該ガラス板にぶつかってブロック３００が砕けるような表示がなされる。
これを、遊技者が演出ボタン６Ａを操作するのに対応させて
さらに５回分繰り返していく
【００６５】
　そして、図４のステップＳ４において予め外れリーチ又は大当りと判定されている場合、本実施の形態では、所定の結末として、図９の（ｐ）に示すように、
６回目の演出ボタン６Ａの操作で、ブロック３００がガラス板にひびを入れ、この後、
ガラス板が割れて、その後ろ側からキャラクタ画像５００が出現するようになっている。
キャラクタ画像５００が出現すると、リーチ発生が確定する
（１−ｅ）「【００８６】
　また、本実施の形態によれば、
図柄表示装置２５の表示画面２５Ａに表示される演出ボタン画像（操作手段画像）１００が１つから複数に増加し、その数に応じて、遊技者のボタン６Ａの操作によって表示される特定演出画像の最大表示回数が決定されるという演出を有している。
【００８７】
　これらにより、遊技者を表示画面２５Ａの演出ボタン画像１００の状態に注目させて、演出ボタン（操作手段）６Ａを使用する演出において遊技者に目新しさを感じさせて当該演出への遊技者の参加意欲を刺激することができ、遊技の興趣を向上させることができる。」
（１−ｆ）「【００９６】
　また、前記した実施の形態では、
演出ボタン（操作手段）６Ａの操作を促す演出ボタン画像（操作手段画像）１００を表示し、
複数に増加した第３の演出画像を表示する第２のパターンを有する演出は、予告演出
で行われるようになっていたが、本発明はこれに限るものではなく、大当り中に演出ボタン画像１００を含む演出パターンの演出画像を表示させるようになっていても良い。
大当り遊技後に確率変動状態となるか否かを大当り中に表示するような演出
（１−ｇ）段落【００５２】には、「表示制御装置２６は、・・・演出ボタン６Ａが操作された場合には所定の結末を表示する予告演出を表示するか否かの判定を行う。なお、本実施の形態では、所定の結末として、後述するように、キャラクタ画像５００が出現する表示を行う」と記載され、段落【００５９】には、「まず、当該予告演出が開始されると、・・・上皿６に配設された演出ボタン６Ａに似せた演出ボタン画像１００が１つ表示される。」と記載され、段落【００６３】には、「６つの演出ボタン画像１００が表示されたら、・・・遊技者がそれに応じて演出ボタン６Ａを操作したら、・・・左上の演出ボタン画像１００が消去され、」と記載されているから、表示制御装置２６は、予告演出を行うものであり、該予告演出は、キャラクタ画像５００が出現する演出や左上の演出ボタン画像１００が消去される演出を含むものといえる。
　よって、先願明細書等には、
演出ボタン画像１００が消去される演出や、キャラクタ画像５００が出現する演出を含む予告演出を行う表示制御装置２６
（１−ｈ）段落【００５２】には、「演出ボタン６Ａを表す（演出ボタン６Ａに似せた）操作手段画像としての演出ボタン画像１００を図柄表示装置２５の表示画面２５Ａに表示して」と記載され、段落【００６３】には、「６つの演出ボタン画像１００が表示されたら、次に、「押して！押して！」、「プッシュ！プッシュ！」等の遊技者に演出ボタン６Ａを操作するように促す表示を行い」と記載され、図８には、６つの演出ボタン画像が図柄表示装置２５の表示画面２５Ａに表示されていることが示されている。
　よって、先願明細書等には、
演出ボタン画像１００の表示や、演出ボタン６Ａの操作を促す表示を行う図柄表示装置２５の表示画面２５Ａ
（１−ｉ）段落【００６０】には、「最初に表示された演出ボタン画像１００の左隣にもう１つ演出ボタン画像１００が表示される。このとき、本実施の形態では、白色・灰色等の演出ボタン画像１００が生まれてくる又は生えてくるようなイメージで段々画像が大きくなり・・・、一度最初に表示された演出ボタン画像１００より大きくなってから少し小さくなって、最初に表示された演出ボタン画像１００と同じ大きさになり、その後、並んだ２つの演出ボタン画像１００が、一旦赤色等の目立つ色に変化し、また、白色・灰色等に戻るような表示態様となっている。」ことが記載され、段落【００６１】には、「当該左隣の演出ボタン画像１００と同様にして、最初に表示された演出ボタン画像１００の右側、下側、左下側、右下側の順に、演出ボタン画像１００を表示させていく。」と記載されている。
　以上を踏まえると、演出ボタン画像１００が左下側まで表示された後、右下側の演出ボタン画像１００が表示される場合に、左下側の演出ボタン画像１００の表示態様は、白色・灰色等に戻り、最初に表示された演出ボタン画像１００と同一形状のままであり、右下側の演出ボタン画像１００が表示される場合には、白色・灰色等の演出ボタン画像１００が生まれてくる又は生えてくるようなイメージで段々画像が大きくなり、最初に表示された演出ボタン画像１００よりも大きくなる表示態様で表示されている場合があるといえる。
　そして、左下側の演出ボタン画像１００は、５つ目の演出ボタン画像１００であり、右下側の演出ボタン画像１００は、６つ目の演出ボタン画像１００であるといえる。
　よって、先願明細書等には、
６つの演出ボタン画像１００が表示される場合に、５つ目の演出ボタン画像１００は、白色・灰色等に戻り、最初に表示された演出ボタン画像１００と同一形状のままの表示態様で表示され、６つ目の演出ボタン画像１００は、白色・灰色等の演出ボタン画像１００が生まれてくる又は生えてくるようなイメージで段々画像が大きくなり、最初に表示された演出ボタン画像１００よりも大きくなる表示態様で表示されている場合がある
　上記（１−ａ）〜（１−ｆ）の記載事項及び（１−ｇ）〜（１−ｉ）の認定事項を総合すると、先願明細書等には次の発明が記載されていると認められる（以下「先願発明」という。）。
「ａ　上皿６に装着された遊技者が手指で操作入力する演出ボタン６Ａと（段落【００１０】）、
ｂ　演出ボタン画像１００が消去される演出や、キャラクタ画像５００が出現する演出を含む予告演出を行う表示制御装置２６と（認定事項１−ｇ）、
ｃ　演出ボタン画像１００の表示や、演出ボタン６Ａの操作を促す表示を行う図柄表示装置２５の表示画面２５Ａと（認定事項１−ｈ）、
ｄ　大入賞口ソレノイド２１を駆動制御することに基づいて大当り動作を実行するメイン制御装置２３と（段落【００５０】）、
を備えた弾球遊技機であって（段落【０００１】）、
ｅ　前記図柄表示装置２５の表示画面２５Ａが表示するもののうちの１つの表示は、演出ボタン画像１００の表示であり（認定事項１−ｈ）、
　前記演出ボタン画像１００は、演出ボタン６Ａを表す（演出ボタン６Ａに似せた）操作手段画像であり（段落【００５２】）、
ｆ　最初に表示された演出ボタン画像１００の左隣にもう一つの演出ボタン画像１００が表示され、さらに、同様にして、最初に表示された演出ボタン画像の右側、下側、左下側、右下の順に演出ボタン画像１００を表示させていき、６つの演出ボタン画像１００が表示される場合があり（段落【００６０】、【００６１】、【００６３】）、
ｇ　前記図柄表示装置２５の表示画面２５Ａが表示するもののうちのもう１つの表示は、演出ボタン６Ａの操作を促す表示であり（認定事項１−ｈ）、
　この表示は、６つの演出ボタン画像１００が表示されたら、「押して！押して！」、「プッシュ！プッシュ！」等の遊技者に演出ボタン６Ａの操作を促す表示を行うものであり（段落【００６３】）、
ｈ　表示制御装置２６が行う演出のうちの１つの演出は、演出ボタン画像１００が消去される演出であり（認定事項１−ｇ）、
ｉ　表示制御装置２６が行う演出のうちのもう１つの演出は、キャラクタ画像５００が出現する演出であり（認定事項１−ｇ）、
ｊ　６つの演出ボタン画像１００が表示されたら、「押して！押して！」、「プッシュ！プッシュ！」等の遊技者に演出ボタン６Ａの操作を促す表示を行い、遊技者がそれに応じて演出ボタン６Ａを操作したら、演出ボタン画像が消去され、その代わりに、画面手前側から画面奥側に向かって複数のブロック３００が飛んでいく特定演出画像が表示され、これを、遊技者が演出ボタン６Ａを操作するのに対応させて、さらに５回分繰り返していく（段落【００６３】、【００６４】）、
ｋ　６回目の演出ボタン６Ａの操作で、ブロック３００がガラス板にひびを入れ、この後、ガラス板が割れて、その後ろ側からキャラクタ画像５００が出現して、リーチ発生が確定する予告演出を実行するものであり、（段落【００６５】）、
ｌ　予告演出が開始されると、所定の背景画像２００の手前側に、左列図柄４０１、右列図柄４０２、中列図柄４０３がそれぞれ透明かつ高速で変動表示され、その手前側に１つの演出ボタン画像１００が表示され（段落【００５９】）、
ｍ、ｎ　予告演出に限らず、大当り中に演出ボタン画像１００を含む演出パターンの演出画像を表示させ、大当り終了後に確率変動状態となるか否かを大当り中に表示するような演出を行ってもよく（段落【００９６】）、
ｏ　演出ボタン画像１００の表示は、
　演出ボタン画像１００が１つ表示される際には、白色・灰色等の色でまず表示され、その後、一旦赤色等の目立つ色に変化し、また、白色・灰色等に戻るような表示態様となっており、
　最初に表示された１つの演出ボタン画像１００の左隣にもう１つの演出ボタン画像が表示される際には、白色・灰色等の演出ボタン画像１００が生まれてくる又は生えてくるようなイメージで段々画像が大きくなり、一度最初に表示された演出ボタン画像１００より大きくなってから少し小さくなって、最初に表示された演出ボタン画像１００と同じ大きさになり、その後、並んだ２つの演出ボタン画像１００が、一旦赤色等の目立つ色に変化し、また、白色・灰色等に戻るような表示態様となっており（段落【００５９】、【００６０】）、
　６つの演出ボタン画像１００が表示される場合に、５つ目の演出ボタン画像１００は、白色・灰色等に戻り、最初に表示された演出ボタン画像１００と同一形状のままの表示態様で表示され、６つ目の演出ボタン画像１００は、白色・灰色等の演出ボタン画像１００が生まれてくる又は生えてくるようなイメージで段々画像が大きくなり、最初に表示された演出ボタン画像１００よりも大きくなる表示態様で表示されている場合がある（認定事項（１−ｉ））、
弾球遊技機。」
４　対比
　本願発明と先願発明とを対比する（下記の（ａ）〜（ｏ）は、先願発明の構成に対応している。）。
（ａ）先願発明における「演出ボタン６Ａ」は、「上皿６に装着され」ているとともに、「遊技者が手指で操作入力する」ものであるから、遊技者が操作可能な位置に設けられていることは、明らかである。
　よって、先願発明の「上皿６に装着された遊技者が手指で操作入力する演出ボタン６Ａ」は、本願発明の「遊技者が操作可能な位置に設けられた操作手段」に相当する。
（ｂ）先願発明の「表示制御装置２６」は、「演出ボタン画像１００が消去される演出」や「キャラクタ画像５００が出現する演出」を行うから複数の演出を実行可能であるといえる。
　よって、先願発明の「演出ボタン画像１００が消去される演出や、キャラクタ画像５００が出現する演出を含む予告演出を行う表示制御装置２６」は、本願発明の「複数の演出を実行可能な演出手段」に相当する。
（ｃ）先願発明の「図柄表示装置２５の表示画面２５Ａ」は、「演出ボタン画像１００の表示」や「演出ボタン６Ａの操作を促す表示」を行うから複数の表示を表示可能であるといえる。
　よって、先願発明の「演出ボタン画像１００の表示や、演出ボタン６Ａの操作を促す表示を行う図柄表示装置２５の表示画面２５Ａ」は、本願発明の「複数の表示を表示可能な表示手段」に相当する。
（ｄ）先願発明において、「メイン制御装置２３」は、「大入賞口ソレノイド２１を駆動制御することに基づいて大当り動作を実行する」から、大当り遊技を実行するとともに大当り遊技を開始可能であることは明らかである。
　よって、先願発明の「大入賞口ソレノイド２１を駆動制御することに基づいて大当り動作を実行するメイン制御装置２３」は、本願発明の「大当り遊技を開始可能な制御手段」に相当する。
　また、先願発明の「弾球遊技機」は、本願発明の「遊技台」に相当する。
（ｅ）先願発明の「演出ボタン画像１００の表示」は、本願発明の「第一の表示」に相当する。
　よって、先願発明の「図柄表示装置２５の表示画面２５Ａが表示するもののうちの１つの表示は、演出ボタン画像１００の表示であ」る点は、本願発明の「複数の表示のうちの一の表示は、第一の表示であ」る点に相当する。
　また、先願発明の「演出ボタン画像１００」は、「演出ボタン６Ａを表す（演出ボタン６Ａに似せた）操作手段画像であ」るから、演出ボタン６Ａ（操作手段）に関する表示であるといえる。
　よって、先願発明の「演出ボタン画像１００は、演出ボタン６Ａを表す（演出ボタン６Ａに似せた）操作手段画像であ」る点は、本願発明の「第一の表示は、操作手段に関する表示であ」る点に相当する。
（ｆ）先願発明においては、「最初に表示された演出ボタン画像１００の左隣にもう一つの演出ボタン画像１００が表示され」るから、複数の「演出ボタン画像１００の表示」（第一の表示）が表示される場合があるといえる。
　よって、先願発明の「最初に表示された演出ボタン画像１００の左隣にもう一つの演出ボタン画像１００が表示され、さらに、同様にして、最初に表示された演出ボタン画像の右側、下側、左下側、右下の順に演出ボタン画像１００を表示させていき、６つの演出ボタン画像１００が表示される場合があ」る点は、本願発明の「複数の第一の表示が表示される場合（以下、「第一の場合」という。）があ」る点に相当する。
（ｇ）先願発明の「演出ボタン６Ａの操作を促す表示」は、本願発明の「第二の表示」に相当する。
　よって、先願発明の「図柄表示装置２５の表示画面２５Ａが表示するもののうちのもう１つの表示は、演出ボタン６Ａの操作を促す表示であ」る点は、本願発明の「複数の表示のうちの一の表示は、第二の表示であ」る点に相当する。
　そして、先願発明において「演出ボタン６Ａの操作を促す表示」は、６つの演出ボタン画像１００が表示されたら、表示されるものであるから、ある期間において表示されるものであるといえる。
　よって、先願発明の「この表示は、６つの演出ボタン画像１００が表示されたら、「押して！押して！」、「プッシュ！プッシュ！」等の遊技者に演出ボタン６Ａの操作を促す表示を行うものであ」る点と、本願発明の「操作手段の操作に関する受付が有効である期間（以下、「第三の期間」という。）において第二の表示が表示され」る点とは、ある期間において第二の表示が表示される点において共通する。
（ｈ）先願発明の「演出ボタン画像１００が消去される演出」は、上記（ｆ）により、本願発明の「第一の演出」に相当する。
　よって、先願発明の「表示制御装置２６が行う演出のうちの１つの演出は、演出ボタン画像１００が消去される演出であ」る点は、本願発明の「複数の演出のうちの一の演出は、第一の演出であ」る点に相当する。
（ｉ）先願発明の「キャラクタ画像５００が出現する演出」は、本願発明の「第二の演出」に相当する。
　よって、先願発明の「表示制御装置２６が行う演出のうちのもう１つの演出は、キャラクタ画像５００が出現する演出であ」る点は、本願発明の「複数の演出のうちの一の演出は、第二の演出であ」る点に相当する。
（ｊ）先願発明の「６つの演出ボタン画像１００が表示され」る場合は、上記（ｆ）より、本願発明の「第一の場合」、すなわち、複数の第一の表示が表示される場合に相当する。そして、先願発明の「遊技者がそれに応じて演出ボタン６Ａを操作したら、演出ボタン画像が消去され」、「これを遊技者が演出ボタン６Ａを操作するのに対応させて、さらに５回分繰り返していく」点は、本願発明の「操作手段に対して一回の操作がされたことに関連して第一の演出を実行可能」である点に相当する。
　よって、先願発明の「６つの演出ボタン画像１００が表示されたら、「押して！押して！」、「プッシュ！プッシュ！」等の遊技者に演出ボタン６Ａの操作を促す表示を行い、遊技者がそれに応じて演出ボタン６Ａを操作したら、演出ボタン画像が消去され、その代わりに、画面手前側から画面奥側に向かって複数のブロック３００が飛んでいく特定演出画像が表示され、これを、遊技者が演出ボタン６Ａを操作するのに対応させて、さらに５回分繰り返していく」点は、本願発明の「第一の場合において、操作手段に対して一回の操作がされたことに関連して第一の演出を実行可能であ」る点に相当する。
（ｋ）上記（ｊ）から、先願発明において、演出ボタン６Ａを操作するのは、「６つの演出ボタン画像１００が表示され」る場合（第一の場合）であるといえる。
　そして、先願発明における「６回目の演出ボタン６Ａの操作で」「キャラクタ画像５００が出現」する点は、本願発明の「複数回の操作がされたことに関連して第二の演出を実行可能」とする点に相当する。
　よって、先願発明の「６回目の演出ボタン６Ａの操作で、ブロック３００がガラス板にひびを入れ、この後、ガラス板が割れて、その後ろ側からキャラクタ画像５００が出現して、リーチ発生が確定する予告演出を実行する」点は、本願発明の「第一の場合において、操作手段に対して複数回の操作がされたことに関連して前記第二の演出を実行可能であ」る点に相当する。
（ｌ）先願発明の「左列図柄４０１、右列図柄４０２、中列図柄４０３」は、本願発明の「装飾図柄」に相当する。また、上記（ｈ）から、先願発明の「演出ボタン画像１００が消去される演出」は、本願発明の「第一の演出」に相当する。
　そして、先願発明においては、「左列図柄４０１、右列図柄４０２、中列図柄４０３がそれぞれ透明かつ高速で変動表示され、その手前側に１つの演出ボタン画像１００が表示され」るから、演出ボタン画像１００が表示され、そして、演出ボタン画像１００が消去される演出は、左列図柄４０１、右列図柄４０２、中列図柄４０３とは異なる表示がされるといえる。
　よって、先願発明の「予告演出が開始されると、所定の背景画像２００の手前側に、左列図柄４０１、右列図柄４０２、中列図柄４０３がそれぞれ透明かつ高速で変動表示され、その手前側に１つの演出ボタン画像１００が表示され」る点は、本願発明の「第一の演出は、装飾図柄とは異なる表示が表示される演出であ」る点に相当する。
（ｍ、ｎ）先願発明においては、構成ｂから、「演出ボタン画像１００が消去される演出や、キャラクタ画像５００が出現する演出を含む予告演出を行う」ものである。
　また、上記（ｅ）、（ｇ）から、先願発明の「演出ボタン画像１００が消去される演出」は、本願発明の「第一の演出」に相当し、先願発明の「キャラクタ画像５００が出現する演出」は、本願発明の「第二の演出」に相当するものである。
　そして、先願発明においては、予告演出に限らず、大当り中に表示するような演出を行ってもよいから、「演出ボタン画像１００が消去される演出」（第一の演出）や「キャラクタ画像５００が出現する演出」（第二の演出）を大当り中に表示し、大当り中に開始可能な演出も記載されているといえる。
　よって、先願発明の「予告演出に限らず、大当り中に演出ボタン画像１００を含む演出パターンの演出画像を表示させ、大当り終了後に確率変動状態となるか否かを大当り中に表示するような演出を行ってもよ」い点は、本願発明の「第一の演出は、大当り遊技の実行中に開始可能な演出であ」る点、及び「第二の演出は、大当り遊技の実行中に開始可能な演出であ」る点に相当する。
（ｏ）本願発明の「第１の場合」とは、上記（ｆ）、（ｊ）より、「複数の第一の表示が表示される場合」であるから、本願発明において「第一の態様」と「第二の態様」とを比較するタイミングは、複数の第一の表示（操作手段に関する表示）がされる場合であるといえる。
　そうすると、先願発明において「６つの演出ボタン画像１００が表示される場合」における「５つ目の演出ボタン画像１００」の「白色・灰色等に戻り、最初に表示された演出ボタン画像１００と同一形状のままの表示態様」は、本願発明の「第一の態様」に相当する。
　また、先願発明において「６つ目の演出ボタン画像１００」の「白色・灰色等の演出ボタン画像１００が生まれてくる又は生えてくるようなイメージで段々画像が大きくなり、最初に表示された演出ボタン画像１００よりも大きくなる表示態様」は、本願発明の「第二の態様」に相当する。
　そして、先願発明における「５つ目の演出ボタン画像１００」の「白色・灰色等に戻り、最初に表示された演出ボタン画像１００と同一形状のままの表示態様」と、「６つ目の演出ボタン画像１００」の「白色・灰色等の演出ボタン画像１００が生まれてくる又は生えてくるようなイメージで段々画像が大きくなり、最初に表示された演出ボタン画像１００よりも大きくなる表示態様」とは、演出ボタン画像１００の大きさが異なるから、表示態様が異なるといえる。
　さらに、６つの演出ボタン画像１００が表示される場合（第一の場合）に、「５つ目の演出ボタン画像１００」の「白色・灰色等に戻り、最初に表示された演出ボタン画像１００と同一形状のままの表示態様」（第一の態様）の演出ボタン画像１００の表示（第一の表示）と、「６つ目の演出ボタン画像１００」の「白色・灰色等の演出ボタン画像１００が生まれてくる又は生えてくるようなイメージで段々画像が大きくなり、最初に表示された演出ボタン画像１００よりも大きくなる表示態様」（第二の態様）の演出ボタン画像１００の表示（第一の表示）を行うことは明らかである。
　よって、先願発明の「演出ボタン画像１００の表示は、
　演出ボタン画像１００が１つ表示される際には、白色・灰色等の色でまず表示され、その後、一旦赤色等の目立つ色に変化し、また、白色・灰色等に戻るような表示態様となっており、
　最初に表示された１つの演出ボタン画像１００の左隣にもう１つの演出ボタン画像が表示される際には、白色・灰色等の演出ボタン画像１００が生まれてくる又は生えてくるようなイメージで段々画像が大きくなり、一度最初に表示された演出ボタン画像１００より大きくなってから少し小さくなって、最初に表示された演出ボタン画像１００と同じ大きさになり、その後、並んだ２つの演出ボタン画像１００が、一旦赤色等の目立つ色に変化し、また、白色・灰色等に戻るような表示態様となっており、
　６つの演出ボタン画像１００が表示される場合に、５つ目の演出ボタン画像１００は、白色・灰色等に戻り、最初に表示された演出ボタン画像１００と同一形状のままの表示態様で表示され、６つ目の演出ボタン画像１００は、白色・灰色等の演出ボタン画像１００が生まれてくる又は生えてくるようなイメージで段々画像が大きくなり、最初に表示された演出ボタン画像１００よりも大きくなる表示態様で表示されている場合がある」点は、
本願発明の「第一の表示は、複数の態様で表示可能な表示であり、
　複数の態様のうちの一の態様は、第一の態様であり、
　複数の態様のうちの一の態様は、第二の態様であり、
　第一の態様と第二の態様は、異なる態様であり、
　第一の場合において、第一の態様の第一の表示と第二の態様の該第一の表示が表示されている場合がある」点に相当する。
　以上のことからみて、本願発明と先願発明とは、
「Ａ　遊技者が操作可能な位置に設けられた操作手段と、
Ｂ　複数の演出を実行可能な演出手段と、
Ｃ　複数の表示を表示可能な表示手段と、
Ｄ　大当り遊技を開始可能な制御手段と、
を備えた遊技台であって、
Ｅ　前記複数の表示のうちの一の表示は、第一の表示であり、
　前記第一の表示は、前記操作手段に関する表示であり、
Ｆ　複数の前記第一の表示が表示される場合（以下、「第一の場合」という。）があり、
Ｇ’　前記複数の表示のうちの一の表示は、第二の表示であり、
　ある期間において前記第二の表示が表示され、
Ｈ　前記複数の演出のうちの一の演出は、第一の演出であり、
Ｉ　前記複数の演出のうちの一の演出は、第二の演出であり、
Ｊ　前記第一の場合において、前記操作手段に対して一回の操作がされたことに関連して前記第一の演出を実行可能であり、
Ｋ　前記第一の場合において、前記操作手段に対して複数回の操作がされたことに関連して前記第二の演出を実行可能であり、
Ｌ　前記第一の演出は、装飾図柄とは異なる表示が表示される演出であり、
Ｍ　前記第一の演出は、前記大当り遊技の実行中に開始可能な演出であり、
Ｎ　前記第二の演出は、前記大当り遊技の実行中に開始可能な演出であり、
Ｏ　前記第一の表示は、複数の態様で表示可能な表示であり、
　前記複数の態様のうちの一の態様は、第一の態様であり、
　前記複数の態様のうちの一の態様は、第二の態様であり、
　前記第一の態様と前記第二の態様は、異なる態様であり、
　前記第一の場合において、前記第一の態様の前記第一の表示と前記第二の態様の該第一の表示が表示されている場合がある、
ことを特徴とする遊技台。」
である点で一致し、次の点で一応相違する。
［相違点］
　第二の表示に関して、本願発明は、「操作手段の操作に関する受付が有効である期間（第三の期間）において表示されるのに対して、先願発明は、そのように特定されていない点。
５　判断
ア　上記相違点について検討する。
　先願発明においては、「押して！押して！」、「プッシュ！プッシュ！」等の遊技者に演出ボタン６Ａの操作を促す表示を行い、遊技者がそれに応じて演出ボタン６Ａを操作したら、演出ボタン画像が消去されるものである。
　ここで、遊技機の技術分野において、操作手段の操作の有効期間においてバー状の表示が表示される点は、本願の出願遡及日前において周知の技術である。
（例えば、特開２０１２−２３９８３９号公報の段落【００４０】〜【００４３】、図１４Ｄの有効期間中に演出ボタン１１を連打する際に、「連打せよ」といったメッセージ６０とともに、総有効期間と残有効期間とを表示するバー状の残期間表示部６１が表示される点、特開２０１２−２２３４７２号公報の段落【０１１１】、【０１１２】、図６の複数回の操作タイミングが指定され、その操作タイミングで操作を行ったか否かにより演出が変化するようになっているものにおいて、「ＰＵＳＨ」といった遊技者に操作ボタン２５の操作を促す表示が行われるとともに、演出ボタン２５の操作の有効期間を示す有効期間表示４１ａがなされる点、特開２００７−１６７４５７号公報の段落【００６９】〜【００７２】、図８のプッシュボタンの操作回数に伴って操作情報表示部３００のゲージが情報に延びるようにしたものにおいて、「決められた時間内にプッシュボタンを押し続けろ」の文字を表示し、決められた時間情報を表示する時間情報表示部３１０を設けた点を参照のこと。）
　そして、先願発明において、遊技者に演出ボタン６Ａの操作を促す表示に関連して上記周知の技術を付加し、これを第二の表示とすることは、遊技の興趣を向上する（先願明細書の段落【０００５】参照。）という課題解決のための具体化手段における微差であり、上記周知の技術の付加により新たな効果を奏するものとはいえない。
　したがって、本願発明は、先願発明と実質的に同一である。
イ　請求人の主張
　請求人は、平成２９年１２月１４日付け意見書において、「本願請求項１は、「前記第一の表示は、複数の態様で表示可能な表示であり、前記複数の態様のうちの一の態様は、第一の態様であり、前記複数の態様のうちの一の態様は、第二の態様であり、前記第一の態様と前記第二の態様は、異なる態様であり、前記第一の場合において、前記第一の態様の前記第一の表示と前記第二の態様の該第一の表示が表示されている場合がある、」という特徴的な発明特定事項を有しています。これに対し、先願（特願２０１１−２７９２１５号（特開２０１３−１２８６２２号公報））の願書に最初に添付した明細書、特許請求の範囲又は図面（以下「先願明細書」という。）に記載された発明は、この特徴的な発明特定事項を有していません。」と主張する（第２頁第４１〜４８行）。
　しかしながら、先願発明は、構成ｏとして「演出ボタン画像１００の表示は、演出ボタン画像１００が１つ表示される際には、白色・灰色等の色でまず表示され、その後、一旦赤色等の目立つ色に変化し、また、白色・灰色等に戻るような表示態様となっており、最初に表示された１つの演出ボタン画像１００の左隣にもう１つの演出ボタン画像が表示される際には、白色・灰色等の演出ボタン画像１００が生まれてくる又は生えてくるようなイメージで段々画像が大きくなり、一度最初に表示された演出ボタン画像１００より大きくなってから少し小さくなって、最初に表示された演出ボタン画像１００と同じ大きさになり、その後、並んだ２つの演出ボタン画像１００が、一旦赤色等の目立つ色に変化し、また、白色・灰色等に戻るような表示態様となっており、６つの演出ボタン画像１００が表示される場合に、５つ目の演出ボタン画像１００は、白色・灰色等に戻り、最初に表示された演出ボタン画像１００と同一形状のままの表示態様で表示され、６つ目の演出ボタン画像１００は、白色・灰色等の演出ボタン画像１００が生まれてくる又は生えてくるようなイメージで段々画像が大きくなり、最初に表示された演出ボタン画像１００よりも大きくなる表示態様で表示されている場合がある」との構成を有しており、上記４（ｏ）で検討したとおり、先願発明は、本願発明の上記構成を備えているといえる。
　したがって、請求人の主張は採用できない。
６　むすび 
　以上のとおり、本願発明は、先願発明と同一であり、しかも、本願発明の発明者が先願発明の発明者と同一ではなく、また、本願の出願時に、その出願人が上記先願の出願人と同一でもないので、本願発明は、特許法第２９条の２の規定により特許を受けることができない。
　したがって、その余の請求項について検討するまでもなく、本願は、拒絶されるべきものである。 
　よって、結論のとおり審決する。